(57)【要約】【課題】フロントピラーに固定窓が設けられる車体側部構造において、車両の前面衝突時のフロントピラーの応力集中を低減するとともにフロントピラーの死角を小さくして車両斜め前方の視認性を向上させる。【解決手段】固定窓１８が設けられる第１の筒体２６および第２の筒体２８が、それぞれフロントピラーロア２４およびセンターピラー２２に跨がって配設されているため、前面衝突時等にそれ等の筒体２６、２８の中間部分に生じる応力集中が緩和される。また、第２の筒体２８の曲げ成形部６２、および第１の筒体２６および第２の筒体２８の合流部分６０が、熱処理によって高強度化されているため、応力集中が緩和されることと相まって、所定の強度を確保しつつそれ等の筒体２６、２８の径寸法を細くすることが可能となり、固定窓１８を大きくするなどして死角を小さくし、車両斜め前方の視認性を向上させることができる。【選択図】図２
2014051117.tif 000002
【特許請求の範囲】
【請求項１】
フロントピラーに固定窓が設けられる車体側部構造において、
前記フロントピラーは、
前記固定窓の上方位置を含めてフロントガラスの側端縁に沿って設けられるとともに、車両上方側へ膨出するように湾曲させられてセンターピラー上部に到達し、両端部がそれぞれフロントピラーロアおよび該センターピラー上部に固定される中空の第１の筒体と、
前記固定窓の車両後方側の端縁に沿って上下方向に設けられるとともに、上方へ向かうに従って車両後方側へ曲げられて前記第１の筒体と平行になるように合流し、前記センターピラー上部に向かって該第１の筒体に沿って配設され、両端部がそれぞれ前記フロントピラーロアおよび該センターピラー上部に固定される中空の第２の筒体と、を備えており、
且つ、少なくとも前記第２の筒体が前記固定窓の車両後方部分から前記第１の筒体に合流する曲げ成形部、および該第１の筒体および該第２の筒体が互いに合流する合流部分が、熱処理によって高強度化されている
ことを特徴とする車体側部構造。
【請求項２】
前記第１の筒体および前記第２の筒体の少なくとも一方には、前記合流部分と前記センターピラー側の端部との間の中間位置に、前面衝突時の荷重で優先的に曲げ変形させられる屈曲部が設けられている
ことを特徴とする請求項１に記載の車体側部構造。
【請求項３】
前記第１の筒体および前記第２の筒体の少なくとも一方には、前記合流部分と前記センターピラー側の端部との間の中間位置に、両側が前記熱処理により高強度化されることにより局部的に低強度とされ、前面衝突時の荷重で優先的に曲げ変形させられる低強度部が設けられている
ことを特徴とする請求項１に記載の車体側部構造。
【請求項４】
前記第１の筒体および前記第２の筒体には、それぞれ外周側へ突き出す突条が該筒体の長手方向に設けられている
ことを特徴とする請求項１〜３の何れか１項に記載の車体側部構造。
【請求項５】
前記第１の筒体および前記第２の筒体が並んで配置される前記合流部分と前記センターピラー側の端部との間では、各筒体に設けられた前記突条が互いに接するように重ね合わされて溶接されている
ことを特徴とする請求項４に記載の車体側部構造。
【請求項６】
前記第１の筒体および前記第２の筒体が互いに分岐している前記合流部分と前記フロントピラーロア側の端部との間では、各筒体に設けられた前記突条に前記固定窓が取り付けられる
ことを特徴とする請求項４または５に記載の車体側部構造。
【請求項７】
前記第１の筒体の前記突条に前記フロントガラスが取り付けられ、
前記第２の筒体の前記突条にウェザーストリップが取り付けられる
ことを特徴とする請求項４に記載の車体側部構造。
【発明の詳細な説明】
【技術分野】
【０００１】
本発明は車体側部構造に係り、特に、車両の前面衝突時のフロントピラーの応力集中を低減するとともにフロントピラーの死角を小さく抑える技術に関するものである。
【背景技術】
【０００２】
フロントピラーに三角窓等の固定窓が設けられる車体側部構造が知られている。特許文献１に記載の車両はその一例で、ルーフサイドレール部を含むフロントピラーには斜めにディビジョンバーが設けられ、ディビジョンバーとフロントピラーとの間に固定窓が設けられるようになっている。
【先行技術文献】
【特許文献】
【０００３】
【特許文献１】特開２００８−６２７０７号公報
【発明の概要】
【発明が解決しようとする課題】
【０００４】
しかしながら、このような従来の車体側部構造においては、ディビジョンバーの上端がフロントピラーの中間位置に連結されているため、前面衝突時等にそれ等の連結部に応力集中が生じ易く、十分な強度を確保するために大きな断面積の部材を用いると、フロントピラー部分の死角が大きくなって車両斜め前方の視認性が悪くなるという問題があった。
【０００５】
本発明は以上の事情を背景として為されたもので、その目的とするところは、フロントピラーに固定窓が設けられる車体側部構造において、車両の前面衝突時のフロントピラーの応力集中を低減するとともにフロントピラーの死角を小さくして車両斜め前方の視認性を向上させることにある。
【課題を解決するための手段】
【０００６】
かかる目的を達成するために、第１発明は、フロントピラーに固定窓が設けられる車体側部構造において、(a) 前記フロントピラーは、(a-1) 前記固定窓の上方位置を含めてフロントガラスの側端縁に沿って設けられるとともに、車両上方側へ膨出するように湾曲させられてセンターピラー上部に到達し、両端部がそれぞれフロントピラーロアおよびそのセンターピラー上部に固定される中空の第１の筒体と、(a-2) 前記固定窓の車両後方側の端縁に沿って上下方向に設けられるとともに、上方へ向かうに従って車両後方側へ曲げられて前記第１の筒体と平行になるように合流し、前記センターピラー上部に向かってその第１の筒体に沿って配設され、両端部がそれぞれ前記フロントピラーロアおよびそのセンターピラー上部に固定される中空の第２の筒体と、を備えており、且つ、(b) 少なくとも前記第２の筒体が前記固定窓の車両後方部分から前記第１の筒体に合流する曲げ成形部、およびその第１の筒体および第２の筒体が互いに合流する合流部分が、熱処理によって高強度化されていることを特徴とする。
【０００７】
第２発明は、第１発明の車体側部構造において、前記第１の筒体および前記第２の筒体の少なくとも一方には、前記合流部分と前記センターピラー側の端部との間の中間位置に、前面衝突時の荷重で優先的に曲げ変形させられる屈曲部が設けられていることを特徴とする。
【０００８】
第３発明は、第１発明の車体側部構造において、前記第１の筒体および前記第２の筒体の少なくとも一方には、前記合流部分と前記センターピラー側の端部との間の中間位置に、両側が前記熱処理により高強度化されることにより局部的に低強度とされ、前面衝突時の荷重で優先的に曲げ変形させられる低強度部が設けられていることを特徴とする。
【０００９】
第４発明は、第１発明〜第３発明の何れかの車体側部構造において、前記第１の筒体および前記第２の筒体には、それぞれ外周側へ突き出す突条がその筒体の長手方向に設けられていることを特徴とする。
【００１０】
第５発明は、第４発明の車体側部構造において、前記第１の筒体および前記第２の筒体が並んで配置される前記合流部分と前記センターピラー側の端部との間では、各筒体に設けられた前記突条が互いに接するように重ね合わされて溶接されていることを特徴とする。
【００１１】
第６発明は、第４発明または第５発明の車体側部構造において、前記第１の筒体および前記第２の筒体が互いに分岐している前記合流部分と前記フロントピラーロア側の端部との間では、各筒体に設けられた前記突条に前記固定窓が取り付けられることを特徴とする。
【００１２】
第７発明は、第４発明の車体側部構造において、(a) 前記第１の筒体の前記突条に前記フロントガラスが取り付けられ、(b) 前記第２の筒体の前記突条にウェザーストリップが取り付けられることを特徴とする。
【発明の効果】
【００１３】
このような車体側部構造においては、固定窓が設けられる第１の筒体および第２の筒体が、それぞれフロントピラーロアおよびセンターピラー上部に跨がって配設されているため、前面衝突時等にそれ等の筒体の中間部分に生じる応力集中が緩和される。また、少なくとも第２の筒体の曲げ成形部、および第１の筒体および第２の筒体の合流部分が、熱処理によって高強度化されているため、応力集中が緩和されることと相まって、所定の強度を確保しつつそれ等の筒体を細くすることが可能となり、固定窓を大きくするなどして死角を小さくし、車両斜め前方の視認性を向上させることができる。
【００１４】
第２発明では、第１の筒体および第２の筒体の少なくとも一方に屈曲部が設けられ、前面衝突時の荷重で優先的に曲げ変形させられるが、屈曲部が設けられた中間位置は車両上方側へ膨出するように湾曲させられているため、その屈曲部が上方へ突き出すように折れ曲がり変形させられ、車室内の乗員の安全性が確保される。第１の筒体および第２の筒体の何れか一方のみに屈曲部が設けられた場合、その一方の筒体が屈曲部を起点として車両上方側へ折れ曲がり変形させられると、他方の筒体に応力集中が生じて折れ曲がり変形させられるが、その他方の筒体も車両上方側へ膨出するように滑らかに湾曲しているため、一方の筒体と同様に車両上方側へ突き出すように折れ曲がり変形させられ、車室内の乗員の安全性が確保される。
【００１５】
第３発明では、第１の筒体および第２の筒体の少なくとも一方に低強度部が設けられ、前面衝突時の荷重で優先的に曲げ変形させられるが、低強度部が設けられた中間位置は車両上方側へ膨出するように湾曲させられているため、その低強度部が上方へ突き出すように折れ曲がり変形させられ、車室内の乗員の安全性が確保される。第１の筒体および第２の筒体の何れか一方のみに低強度部が設けられた場合、その一方の筒体が低強度部を起点として車両上方側へ折れ曲がり変形させられると、他方の筒体に応力集中が生じて折れ曲がり変形させられるが、その他方の筒体も車両上方側へ膨出するように滑らかに湾曲しているため、一方の筒体と同様に車両上方側へ突き出すように折れ曲がり変形させられ、車室内の乗員の安全性が確保される。
【００１６】
第４発明では、第１の筒体および第２の筒体にそれぞれ外周側へ突き出す突条が設けられているため、例えば第５発明のように前記合流部分とセンターピラーとの間で第１の筒体および第２の筒体が並んで配置される部分で、各筒体に設けられた突条を互いに接するように重ね合わせて溶接することにより、それ等の筒体の強度を更に高めることができる。これにより、それ等の筒体を細くして車両斜め前方の視認性を更に高めることができる。
【００１７】
第６発明では、合流部分とフロントピラーロアとの間で第１の筒体および第２の筒体が互いに分岐している部分では、それ等の筒体に設けられた突条に固定窓が取り付けられるため、その取付強度を維持しつつ取付構造を簡略化して車両重量を低減できる。
【００１８】
第７発明では、第１の筒体に設けられた突条にフロントガラスが取り付けられ、第２の筒体に設けられた突条にウェザーストリップが取り付けられるため、それ等の取付強度を維持しつつ取付構造を簡略化して車両重量を低減できる。
【図面の簡単な説明】
【００１９】
【図１】本発明が適用された車両の左側部を示す斜視図である。
【図２】図１の車両の左側部の車体内部構造を示す斜視図である。
【図３】図２における III−III 矢視部分の断面図である。
【図４】図２におけるIV−IV矢視部分の断面図である。
【図５】本発明の他の実施例を説明する図で、図２に対応する車体内部構造の斜視図である。
【図６】本発明の更に別の実施例を説明する図で、図２に対応する車体内部構造の斜視図である。
【図７】本発明の更に別の実施例を説明する図で、図２に対応する車体内部構造の斜視図である。
【図８】図７におけるVIII−VIII矢視部分の断面図である。
【図９】図７におけるIX−IX矢視部分の断面図である。
【図１０】図７におけるＸ−Ｘ矢視部分の断面図である。
【図１１】本発明の更に別の実施例を説明する図で、図２に対応する車体内部構造の斜視図である。
【図１２】図１１における XII−XII 矢視部分の断面図である。
【図１３】図１１におけるXIII−XIII矢視部分の断面図である。
【図１４】図１１における XIV−XIV 矢視部分の断面図である。
【図１５】前面衝突時にフロントピラーに生じるモーメントを説明する図である。
【発明を実施するための形態】
【００２０】
本発明の車体側部構造は、車両の左右両側に設けられる一対のフロントピラー部分に適用することが可能で、その両方の車体側部構造に適用することが望ましいが、左右の車体側部構造の何れか一方に適用するだけでも差し支えない。
【００２１】
中空の第１および第２の筒体としては、円筒形状のパイプ材が好適に用いられるが、鋼板等の金属板材を円筒形状に丸めたものでも良いし、断面が楕円形や四角形、多角形等の筒体を採用することもできる。これ等の筒体は、合流部分とセンターピラー上部との間において略平行に配置され、例えば第１の筒体が第２の筒体の上方（斜め上方を含む）に位置するように上下配置されるが、車両幅方向に並列して位置するように水平配置することもできる。合流部分からセンターピラー側の端部までの間では、第１の筒体および第２の筒体は、何れも車両上方側へ膨出するように湾曲させられており、例えば滑らかに湾曲するように構成されるが、全体として湾曲形状であれば良く、複数の直線部分や折れ曲がり部分を含んでいても良い。第１の筒体および第２の筒体は、合流部分とセンターピラー側の端部との間で互いに接していても良いし、所定の間隔を隔てて配置されても良い。
【００２２】
第２の筒体の曲げ成形部、および第１の筒体および第２の筒体の合流部分は熱処理によって高強度化されており、例えば所定形状に曲げ成形する際の加熱および曲げ加工後の急冷による熱処理（焼入れ）で高強度化することができるが、別工程で焼入れ等の熱処理を行って高強度化することも可能である。この熱処理は、上記曲げ成形部および合流部分だけでも良いが、第１の筒体および第２の筒体の全体を熱処理で高強度化しても良い。両端の取付部分については、相手（フロントピラーロアやセンターピラー）との接触状態を確保する上で高強度化しないようにしても良い。この熱処理による高強度化は、例えば筒体として高張力鋼を用いた場合、焼入れにより引張強度を１１００ＭＰａ以上にすることが可能で、１５００ＭＰａ程度が望ましい。未焼入れ部の引張強度は５００〜７００ＭＰａ程度である。
【００２３】
第２発明および第３発明では、第１の筒体および第２の筒体の少なくとも一方に屈曲部或いは低強度部が設けられるが、第１の筒体および第２の筒体の何れか一方に設けるだけでも良いし、両方に設けることもできる。これ等の屈曲部或いは低強度部が設けられる中間位置は、上方へ突き出すように折れ曲がり変形させられることにより車室内の乗員の安全性を確保できるように適宜定められ、例えば前面衝突時にフロントピラーに生じるモーメントが釣り合う位置に設定される。第３発明の低強度部は焼入れが行われない未焼入れ部で、例えば筒体を移動させながら高周波誘導加熱により局部的に加熱し、強度低下した加熱部に逐次曲げ加工を行い、急冷して形状凍結および高強度化する際に、加熱コイルへの通電を中断したり常温冷却（徐冷）したりすることによって任意の範囲に設けることができる。
【００２４】
第４発明〜第７発明では、筒体の側面に外周側へ突き出す突条が設けられるが、この突条は、高張力鋼のパイプ材の場合、例えば曲げ成形する前にロール成形やプレス成形等によって形成することができる。突条の幅寸法（突出寸法）は適宜定めることができるが、例えばフロントガラスや固定窓を取り付ける場合１０ｍｍ以上が望ましく、１５ｍｍ程度が適当である。
【００２５】
第５発明では、合流部分とセンターピラー側の端部との間で各筒体に設けられた突条が互いに接するように重ね合わされ、アーク溶接や抵抗溶接等により溶接されるが、重ね合わせ部の全長に亘って連続的に溶接しても良いし、断続的に溶接するだけでも良く、少なくとも一部が溶接されれば良い。
【実施例】
【００２６】
以下、本発明の実施例を、図面を参照しつつ詳細に説明する。
図１は、本発明が適用された車両の左側部１０を示す斜視図で、フロントガラス１２、フロントドア１４、フロントフェンダー１６、ルーフパネル１７、および固定窓１８を備えている。固定窓１８はガラス等の透明な部材である。図２は、上記左側部１０の車体内部構造を示す斜視図で、図３は図２における III−III 矢視部分の断面図、図４は図２におけるIV−IV矢視部分の断面図であり、フロントピラー２０およびセンターピラー２２を有する。フロントピラー２０は、フロントピラーロア２４と一対の第１の筒体２６および第２の筒体２８とを備えており、第１の筒体２６および第２の筒体２８は、フロントピラーロア２４の上端部とセンターピラー２２の上端部とに跨がって配設されている。すなわち、第１の筒体２６および第２の筒体２８は、従来のルーフサイドレールの一部を兼ねている。このフロントピラー２０には前記フロントガラス１２やフロントドア１４、フロントフェンダー１６、ルーフパネル１７、固定窓１８が取り付けられる。
【００２７】
第１の筒体２６および第２の筒体２８は、何れも断面円形の高張力鋼のパイプ材にて構成されており、第１の筒体２６は、前記固定窓１８の上方位置を含めてフロントガラス１２の側端縁に沿って設けられるとともに、車両上方側へ膨出するように滑らかに湾曲させられてセンターピラー２２の上部に到達し、両端部がそれぞれフロントピラーロア２４およびセンターピラー２２に固定されている。第２の筒体２８は、固定窓１８の車両後方側の端縁に沿って上下方向に設けられるとともに、上方へ向かうに従って車両後方側へ曲げられて第１の筒体２６と平行になるように合流し、センターピラー２２の上部に向かって第１の筒体２６に沿って略平行に配設され、両端部がそれぞれフロントピラーロア２４およびセンターピラー２２に固定されている。合流部分６０からセンターピラー２２側の端部までの間では、第１の筒体２６および第２の筒体２８はそれぞれ上方へ膨出するように滑らかに湾曲させられた湾曲形状を成しているとともに、第１の筒体２６が第２の筒体２８の上方乃至は車両内側の斜め上方になる位置関係で、互いに略平行に配設されている。第１の筒体２６および第２の筒体２８は、本実施例では径寸法および肉厚が同じであるが、例えば第２の筒体２８の径寸法や肉厚を第１の筒体２６より小さくするなど、適宜設定できる。
【００２８】
フロントピラーロア２４の上端は逆Ｌ字形状を成しており、車両前側の上方へ突き出す第１連結部３０にブラケット３２を介して第１の筒体２６が溶接によって一体的に固定され、車両後側の後端角部に設けられた第２連結部３４にブラケット３６を介して第２の筒体２８が溶接によって一体的に固定されている。第１の筒体２６および第２の筒体２８をフロントピラーロア２４に溶接などで直接固定することもできるし、溶接した上で更にブラケットを用いて強固に固定するようにしても良い。溶接方法としては、アーク溶接や抵抗溶接が適当である。前記固定窓１８は、このフロントピラーロア２４の上端と第１の筒体２６および第２の筒体２８によって囲まれた部分に配設される。図４から明らかなように、第１の筒体２６には、インナーパネル４０が溶接によって一体的に固定されているとともに、そのインナーパネル４０にはアウターパネル４２が一体的に固定されており、第１の筒体２６はそれ等のインナーパネル４０およびアウターパネル４２によって形成される筒形状の内部に配設されている。インナーパネル４０およびアウターパネル４２の両側部は、互いに重ね合わされてアーク溶接や抵抗溶接等より相互に一体的に接合されており、その一方の接合部４４にシール部材４５を介してフロントガラス１２が固定され、分岐内側に位置する他方の接合部４６にシール部材４７を介して固定窓１８が固定されている。固定窓１８の第２の筒体２８側の取付構造も、第１の筒体２６側の取付構造と同様に構成される。なお、図４の符号４８はフロントピラートリムである。
【００２９】
第１の筒体２６および第２の筒体２８の反対側の端部は、共通のブラケット５０を介してアーク溶接や抵抗溶接等によりセンターピラー２２に一体的に固定されている。第１の筒体２６および第２の筒体２８をセンターピラー２２に溶接などで直接固定することもできるし、溶接した上で更にブラケットを用いて強固に固定するようにしても良い。また、これ等の第１の筒体２６および第２の筒体２８は、その中間部、具体的には第２の筒体２８が固定窓１８の車両後側部分から曲げ成形されて第１の筒体２６と略平行になる合流部分６０の近傍においても、中間ブラケット５２に溶接されて相互に一体的に連結されている。図３から明らかなように、中間ブラケット５２の上端部は前記インナーパネル４０およびアウターパネル４２の接合部４４に挟まれた状態で、抵抗溶接等によりその接合部４４に一体的に固定されており、下端部は、インナーパネル４０およびアウターパネル４２の下側（ドア側）の接合部５６に挟まれた状態で、抵抗溶接等により相互に一体的に固定されている。そして、一方の接合部４４にはシール部材４５を介してフロントガラス１２が固定され、或いはルーフパネル１７が固定される一方、他方の接合部５６にはウェザーストリップ５４が取り付けられる。ウェザーストリップ５４はゴム等の弾性体製で、開閉されるフロントドア１４との間が液密にシールされ、水や音等の侵入が抑制される。
【００３０】
一方、上記第１の筒体２６および第２の筒体２８は、少なくとも前記合流部分６０、および第２の筒体２６が固定窓１８の車両後方部分から第１の筒体２６に合流するように曲げられた曲げ成形部６２が、熱処理によって高強度化されている。図２において一点鎖線で囲んだ範囲ＱＥが上記合流部分６０および曲げ成形部６２で、高強度化必要領域である。本実施例では、ブラケット３２、３６、５０によってフロントピラーロア２４、センターピラー２２に固定される両端部を除いて、第１の筒体２６および第２の筒体２８の略全長に亘って熱処理が施され、高強度化されている。熱処理による高強度化は、例えば第１の筒体２６、第２の筒体２８を移動させながら高周波誘導加熱により局部的に９００℃程度まで加熱し、強度低下した加熱部を逐次所定形状に曲げ成形した後、急冷することによって行われ、焼入れにより高強度化されるとともに形状が凍結される。加熱コイルへの通電の有無により、加熱範囲更には焼入れによる高強度化範囲を任意に設定でき、本実施例では両端部が未焼入れ状態とされる。第１の筒体２６、第２の筒体２８として高張力鋼のパイプ材が用いられる本実施例では、焼入れにより引張強度が１５００ＭＰａ程度となり、フロントピラー２０として必要な十分の強度が得られる。両端部の未焼入れ部分は引張強度が５９０ＭＰａ程度で、フロントピラーロア２４およびセンターピラー２２に密着するように変形させてブラケット３２、３６、５０により強固に固定することができる。
【００３１】
このような本実施例の車体側部構造においては、固定窓１８が設けられる第１の筒体２６および第２の筒体２８が、それぞれフロントピラーロア２４およびセンターピラー２２に跨がって配設されているため、前面衝突時等にそれ等の筒体２６、２８の中間部分に生じる応力集中が緩和される。また、第２の筒体２８の曲げ成形部６２、および第１の筒体２６および第２の筒体２８の合流部分６０が、熱処理によって高強度化されているため、応力集中が緩和されることと相まって、所定の強度を確保しつつそれ等の筒体２６、２８の径寸法を細くすることができる。これにより、固定窓１８を大きくするなどして死角を小さくし、車両斜め前方の視認性を向上させることができる。
【００３２】
次に、本発明の他の実施例を説明する。なお、以下の実施例において前記実施例と実質的に共通する部分には同一の符号を付して詳しい説明を省略する。
【００３３】
図５は、前記図２に対応する車両左側部１０の車体内部構造の斜視図で、基本的に図２の実施例と同様に構成されているが、第１の筒体２６に屈曲部７０が設けられている点が相違する。屈曲部７０は、車両上方側へ膨出するように滑らかに湾曲している第１の筒体２６が、前面衝突時に屈曲部７０を起点として車両上方側へ突き出すように折れ曲がり変形させられるようにするためのもので、本実施例ではプレス加工やベンダー加工等により車両下方側へ滑らかに小さく凸となるように湾曲させられている。本実施例では、屈曲部７０においても円筒形状が維持されているが、第１の筒体２６の断面を局部的に潰すようにして屈曲部７０を設けることもできる。
【００３４】
上記屈曲部７０は、前記合流部分６０とセンターピラー２２側の端部との間の中間位置であって、本実施例では前面衝突時にフロントピラー２０に生じるモーメントが略釣り合う位置に設けられている。図１５は、前面衝突時の荷重Ｆによりフロントピラー２０に生じるモーメントの解析図で、フロントガラス１２が設けられる車両前側上部では車両外側へのモーメントが生じる一方、フロントドア１４が配設される部分では車両内側へのモーメントが生じ、それ等の境界部分でモーメントが釣り合い、その釣り合い位置付近に屈曲部７０が設けられている。このようにモーメントが釣り合う位置は、車両によって異なるが例えばフロントガラス１２とルーフパネル１７との境界付近である。そして、このようにモーメントが釣り合う位置に屈曲部７０が設けられると、前面衝突時の荷重Ｆにより、第１の筒体２６が一層確実に屈曲部７０を起点として上方へ突き出すように折れ曲がり変形させられるようになる。
【００３５】
本実施例では、第１の筒体２６の中間位置に屈曲部７０が設けられ、前面衝突時の荷重でその屈曲部７０が上方へ突き出すように優先的に折れ曲がり変形させられるため、車室内の乗員の安全性が確保される。また、このように第１の筒体２６が屈曲部７０を起点として車両上方側へ折れ曲がるように変形すると、第２の筒体２８に応力集中が生じて略同じ位置で折れ曲がり変形させられるが、第２の筒体２８も上記屈曲部７０が設けられた部分では車両上方側へ膨出するように滑らかに湾曲しているため、第１の筒体２６と同様に車両上方側へ突き出すように折れ曲がり変形させられ、車室内の乗員の安全性が確保される。
【００３６】
なお、上記実施例では、第１の筒体２６のみに屈曲部７０が設けられていたが、第１の筒体２６および第２の筒体２８の両方に屈曲部を設けることもできるし、第２の筒体２８のみに屈曲部を設けても良い。また、前面衝突時にフロントピラー２０に生じるモーメントが釣り合う位置に屈曲部７０が設けられているが、この屈曲部７０を設ける中間位置は、合流部分６０とセンターピラー２２側の端部との間において、前面衝突時に車両上方側へ突き出すように折れ曲がり変形させられる範囲内で適宜定められる。
【００３７】
図６は、前記図２に対応する車両左側部１０の車体内部構造の斜視図で、基本的に図２の実施例と同様に構成されているが、第１の筒体２６および第２の筒体２８にそれぞれ低強度部７２、７４が設けられている点が相違する。図６において細かい斜線を付した部分が低強度部７２、７４である。この低強度部７２、７４は、その両側（筒体２６、２８の長手方向の両側）が熱処理により高強度化されることにより局部的に低強度とされ、前面衝突時に優先的に曲げ変形させられる部分で、本実施例では第１の筒体２６、第２の筒体２８を長手方向へ移動させながら高周波誘導加熱で９００℃程度まで加熱して所定形状に曲げ成形した後、急冷して焼入れにより高強度化および形状凍結する際に、加熱コイルへの通電を中断することによって設けられる。すなわち、低強度部７２、７４は、部分的に焼入れによって高強度化されないようにした未焼入れ部である。加熱はそのまま行って、徐冷するようにしても良い。これ等の低強度部７２、７４は、図５の実施例における屈曲部７０と同様に、合流部分６０とセンターピラー２２側の端部との間の中間位置であって、本実施例では前面衝突時にフロントピラー２０に生じるモーメントが略釣り合う位置に設けられており、両筒体２６、２８は、前面衝突時にそれぞれ低強度部７２、７４を起点として上方へ突き出すように折れ曲がり変形させられる。
【００３８】
本実施例では、第１の筒体２６および第２の筒体２８の中間位置にそれぞれ低強度部７２、７４が設けられ、前面衝突時の荷重でその低強度部７２、７４がそれぞれ上方へ突き出すように優先的に折れ曲がり変形させられるため、車室内の乗員の安全性が確保される。
【００３９】
なお、上記実施例では、第１の筒体２６および第２の筒体２８にそれぞれ低強度部７２、７４が設けられていたが、第１の筒体２６および第２の筒体２８の何れか一方に低強度部７２または７４を設けるだけでも良い。
【００４０】
図７は、前記図２に対応する車両左側部１０の車体内部構造の斜視図で、図８〜図１０は、それぞれ図７におけるVIII−VIII矢視部分、IX−IX矢視部分、Ｘ−Ｘ矢視部分の断面図であり、基本的に図２の実施例と同様に構成されているが、第１の筒体８０および第２の筒体８２にそれぞれ外周側へ突き出す突条８４、８６が設けられている点が相違する。突条８４、８６は、第１の筒体８０、第２の筒体８２を曲げ形成する前にロール成形、プレス成形などで成形することが可能で、幅寸法（突出寸法）は約１５ｍｍであり、それぞれ軸方向の全長に設けられている。第１の筒体８０および第２の筒体８２は、前記実施例と同様に断面円形の高張力鋼のパイプ材にて構成されるが、ロール成形などで突条８４、８６を設けた後に所定の径寸法となるように、突条８４、８６の幅寸法を考慮して径寸法が設定され、前記各実施例よりも大き目の径寸法のパイプ材が用いられる。
【００４１】
上記第１の筒体８０は、突条８４が下方へ突き出す姿勢で配置され、第２の筒体８２は、突条８６が上方へ突き出す姿勢で配置されており、それ等の第１の筒体８０および第２の筒体８２が略平行に配設される合流部分６０からセンターピラー２２側の部分では、図８に示されるように各筒体８０、８２に設けられた突条８４、８６が互いに平行に略密着するように重ね合わされ、その全長に亘ってアーク溶接や抵抗溶接等により連続的または断続的に溶接されて一体的に接合されている。また、合流部分６０からフロントピラーロア２４側の分岐部分では、図９、図１０に示されるように、それ等の突条８４、８６に前記アウターパネル４２の側端部（分岐内側の端部）がそれぞれ密着するように重ね合わされ、連続的または断続的に溶接されて一体的に接合されており、その接合部８８、９０にシール部材４７を介して固定窓１８が取り付けられている。なお、インナーパネル４０の固定窓１８側の側端部（分岐内側の端部）は、第１の筒体８０、第２の筒体８２の円筒状部分にそれぞれ溶接により一体的に固定されている。
【００４２】
本実施例では、第１の筒体８０および第２の筒体８２にそれぞれ外周側へ突き出す突条８４、８６が設けられており、合流部分６０とセンターピラー２２側の端部との間で第１の筒体８０および第２の筒体８２が上下に並んで配置される部分では、各筒体８０、８２に設けられた突条８４、８６が互いに接するように重ね合わされて溶接されているため、それ等の筒体８０、８２の強度が更に高められる。これにより、それ等の筒体８０、８２を細くして車両斜め前方の視認性を更に向上させることができる。
【００４３】
また、合流部分６０とフロントピラーロア２４との間で第１の筒体８０および第２の筒体８２が互いに分岐している部分では、それ等の筒体８０、８２に設けられた突条８４、８６に固定窓１８が取り付けられるため、その取付強度を維持しつつ取付構造を簡略化して車両重量を低減できる。
【００４４】
図１１は、前記図２に対応する車両左側部１０の車体内部構造の斜視図で、図１２〜図１４は、それぞれ図１１における XII−XII 矢視部分、XIII−XIII矢視部分、 XIV−XIV 矢視部分の断面図であり、基本的に図２の実施例と同様に構成されているが、第１の筒体１００および第２の筒体１０２にそれぞれ外周側へ突き出す突条１０４、１０６が設けられている点が相違する。突条１０４、１０６は、図７の実施例の突条８４、８６と同様にロール成形やプレス成形などで成形されているとともに、幅寸法（突出寸法）は約１５ｍｍであり、それぞれ軸方向の全長に設けられている。
【００４５】
上記第１の筒体１００は、突条１０４が車両の内側へ突き出す姿勢で配置され、第２の筒体１０２は、突条１０６が下方乃至は斜め外側へ突き出す姿勢で配置されており、それ等の第１の筒体１００および第２の筒体１０２が略平行に配設される合流部分６０からセンターピラー２２側の部分では、図１２に示されるように第１の筒体１００の突条１０４に前記シール部材４５を介してフロントガラス１２が取り付けられ、第２の筒体１０２の突条１０６に前記ウェザーストリップ５４が取り付けられている。第１の筒体１００の突条１０４にはまた、ルーフパネル１７が一体的に固定される。前記インナーパネル４０およびアウターパネル４２の側端部は、それぞれ第１の筒体１００、第２の筒体１０２の円筒状部分に連続的または断続的に溶接されて一体的に固定されており、これにより第１の筒体１００および第２の筒体１０２が互いに一体的に連結される。また、第１の筒体１００および第２の筒体１０２の合流部分６０からフロントピラーロア２４側の分岐部分には、Ｙ字型のブラケット１０８がそれ等の筒体１００および１０２に跨がって溶接されており、互いに一体的に連結されている。
【００４６】
上記合流部分６０よりもフロントピラーロア２４側の分岐部分では、図１３、図１４に示されるように、インナーパネル４０およびアウタパネル４２の分岐内側の接合部４６にシール部材４７を介して固定窓１８が取り付けられている。第１の筒体１００の突条１０４にシール部材４５を介してフロントガラス１２が取り付けられ、第２の筒体１０２の突条１０６にウェザーストリップ５４が取り付けられている点は、それ等の筒体１００、１０２が略平行に配置されている図１２の断面部分と同じである。
【００４７】
本実施例では、第１の筒体１００および第２の筒体１０２にそれぞれ外周側へ突き出す突条１０４、１０６が設けられており、第１の筒体１００の突条１０４にシール部材４５を介してフロントガラス１２が取り付けられ、第２の筒体１０２の突条１０６にウェザーストリップ５４が取り付けられているため、それ等の取付強度を維持しつつ取付構造を簡略化して車両重量を低減できる。
【００４８】
なお、上記図７〜図１４の実施例においても、図５、図６の実施例と同様に屈曲部や低強度部を設け、前面衝突時に第１の筒体８０、１００や第２の筒体８２、１０２が車両上方側へ突き出すように折れ曲がり変形させられるようにして、車室内の安全性を向上させることができる。
【００４９】
以上、本発明の実施例を図面に基づいて詳細に説明したが、これ等はあくまでも一実施形態であり、本発明は当業者の知識に基づいて種々の変更、改良を加えた態様で実施することができる。
【符号の説明】
【００５０】
１０：車両の左側部    １２：フロントガラス    １８：固定窓    ２０：フロントピラー    ２２：センターピラー    ２４：フロントピラーロア    ２６、８０、１００：第１の筒体    ２８、８２、１０２：第２の筒体    ５４：ウェザーストリップ    ６０：合流部分    ６２：曲げ成形部    ７０：屈曲部    ７２、７４：低強度部    ８４、８６、１０４、１０６：突条
【図１】
2014051117.tif 000003
【図２】
2014051117.tif 000004
【図３】
2014051117.tif 000005
【図４】
2014051117.tif 000006
【図５】
2014051117.tif 000007
【図６】
2014051117.tif 000008
【図７】
2014051117.tif 000009
【図８】
2014051117.tif 000010
【図９】
2014051117.tif 000011
【図１０】
2014051117.tif 000012
【図１１】
2014051117.tif 000013
【図１２】
2014051117.tif 000014
【図１３】
2014051117.tif 000015
【図１４】
2014051117.tif 000016
【図１５】
2014051117.tif 000017